(57)【特許請求の範囲】
【請求項１】
入力軸及び出力軸に夫々配する入力車及び出力車と、該両車間に巻掛けした無端Ｖベルトと、可動車及び固定車を持つ上記入力車と、入力摩擦力を保つ為上記入力車に常時弾性力を付与する入力弾性体を持つ入力弾性装置と、制御指令にて上記出力車の回転数とトルクを可変制御する調節装置とでなる可変伝動機において、
上記弾性体を圧縮する圧縮装置を持ち上記弾性体と上記圧縮装置の両加圧力を直列重畳して生じた圧縮弾性力を上記入力車の可動車に供給する入力加圧装置と、セルフロック機能を持つ上記圧縮装置に連結し上記入力加圧装置の該圧縮弾性力を可変操作する入力駆動源と、更に上記入力駆動源に該制御指令を与えて上記入力加圧装置が上記入力車の弾性摩擦力を調節する事で上記ベルトを経て生じる上記出力車弾性摩擦力で上記ベルト変位を阻止して得た出力トルクを間接的に常時可変加圧制御して生む上記調節装置とを有してなる可変伝動機。
【請求項２】
請求項１において、上記出力車は、出力駆動源に連結しセルフロック機能を持つ出力圧縮装置を有する出力加圧装置で付勢する可変径型プーリ又は定速比プーリで該ベルト接触半径を一定にしてなる可変伝動機。
【請求項３】
可動車と固定車でなる入力及び出力車と、入力及び出力軸に夫々配する上記入力及び出力車間に施した無端Ｖベルトと、入力及び出力加圧装置に夫々設けた入力及び出力圧縮装置が上記入力及び出力車を入力及び出力駆動源で夫々作動させる入力及び出力操作器と、上記入力及び出力操作器で出力トルク及び出力回転数又は速比を可変制御する調節装置とでなる可変伝動機において、
上記入力圧縮装置で入力弾性体を直列押圧して生じた圧縮弾性力を上記入力車の可動車に供給するため上記入力加圧装置に施した上記弾性体をもつ入力弾性装置と、上記入力車に常時弾性力による可変加圧制御の追従車機能を上記出力車に変速時に加圧力を非変速時に実質的な非加圧状態を夫々施し加圧力による可変径位置決め制御の基準車機能を夫々与えた上記入力及び出力加圧装置と、更にセルフロック機能を持つ上記入力操作器及び出力操作器に夫々出力トルク指令及び出力回転数又は速比指令を施す事で出力トルクを上記入力操作器の上記入力車への弾性摩擦力操作で上記ベルトを経て生じた上記出力車Ｖ溝でのクサビ摩擦力を間接制御しかつ出力回転数又は速比を上記出力操作器で直接制御した上記調節装置とを有してなる可変伝動機。
【請求項４】
可変径型プーリでなる入力及び出力車と、該両車間に施す無端Ｖベルトと、セルフロック機能を持つ入力及び出力加圧装置が各対応車を入力及び出力駆動源で夫々付勢する入力及び出力操作器とでなる可変伝動機において、
入力弾性装置の直列押圧で得た圧縮弾性力を上記入力車摩擦面に施し可変加圧制御して上記出力車の出力トルク制御を果す上記入力加圧装置と、加圧力を上記出力車に施し上記ベルトを可変径位置決め制御して速比制御を果す上記出力加圧装置と、更に上記出力加圧装置が上記出力車の変速移動量ｌ０を変位時の速比制御と上記入力加圧装置が上記入力車の変速移動量ｌｐと上記弾性装置の圧縮移動量ｌｓとの和ｌ１のトルク制御とを同期操作して定馬力伝動を果す調節装置とを有してなる可変伝動機。
【請求項５】
可変径型プーリでなる入力及び出力車と、該両車間に施す無端Ｖベルトと、セルフロック機能を持つ入力及び出力加圧装置が各対応車を入力及び出力駆動源で夫々付勢する入力及び出力操作器とでなる可変伝動機において、
上記入力車に弾性装置を直列加圧で得た弾性力を施し上記ベルト摩擦面を可変加圧制御して上記出力車の出力トルク制御を果す上記入力加圧装置と、上記出力車及びベルト間の摩擦圧検出値を得る第一検出器と、更に該摩擦圧検出値からトルクを算出して該トルク値を上記入力加圧装置に帰還制御することで上記出力車の出力トルクをサーボ制御する調節装置とを有してなる可変伝動機。
【請求項６】
請求項５において、上記可変伝動機は、上記出力車に非弾性加圧力でベルト位置決め制御して速比制御する上記出力加圧装置と、上記入力及び出力車の回転数検出値を得る第二検出器と、更に該回転数検出値から速比を算出し該速比又は出力回転数検出値を上記出力加圧装置に帰還制御することで該速比と出力トルクの一方又は双方を同期又は非同期にサーボ制御する上記調節装置とを有してなる可変伝動機。
【請求項７】
可変径型プーリでなる入力及び出力車と、該両車間に施す無端Ｖベルトと、セルフロック機能を持つ入力及び出力加圧装置が各対応車を入力及び出力駆動源で夫々付勢する入力及び出力操作器とでなる可変伝動機において、
上記入力車に弾性装置の直列加圧で得た弾性力を施し上記ベルト摩擦面を可変加圧制御して上記出力車の出力トルク制御を果す上記入力加圧装置と、上記出力車を加圧力でベルト位置決め制御して速比制御する上記出力加圧装置と、更に上記入力又は出力加圧装置のみの単独操作時は夫々トルク変換型又は定トルク型伝動機を或いは上記入力及び出力加圧装置の同期操作時は定馬力型伝動機を作動させる為上記入力及び出力操作器を同期又は非同期操作する調節装置とを有してなる可変伝動機。
【請求項８】
請求項１、３、４、５又は７において、上記調節装置は、上記伝動機の運転停止の際に上記弾性装置の高加圧圧縮状態を解放するために高加圧と低加圧間で強制的に切換える除圧又は加圧指令を上記入力加圧装置の圧縮装置に付与し指令の供給停止後も押圧位置を安定保持してなる可変伝動機。
【請求項９】
可変径型プーリでなる入力及び出力車と、該両車間に施す無端Ｖベルトと、セルフロック機能を持つ入力及び出力加圧装置が各対応車を入力及び出力駆動源で夫々付勢する入力及び出力操作器とでなる可変伝動機において、
入力弾性装置の直列押圧で得た圧縮弾性力を上記入力車に施す為の入力圧縮装置で成る上記入力加圧装置と、加圧力を上記出力車に施す為の出力圧縮装置で成る上記出力加圧装置と、上記入力及び出力加圧装置の一方を管状又は円環状形成して一方車回転軸に同軸上に貫通配置しかつ他方を棒状形成して他方車の裏側の同軸延長上に離隔配置した上記入力及び出力圧縮装置に夫々連結し互に隣接配置した上記入力及び出力駆動源と、更に該入力及び出力駆動源に夫々トルク及び速比指令を施し上記入力及び出力車で夫々出力トルク制御及び速比制御を果す調節装置とを有してなる可変伝動機。
【請求項１０】
請求項２、３、４、５、７又は９において、上記入力又は出力加圧装置は、対応車から離隔位置に同軸配置した該加圧装置全体、上記圧縮装置又は弾性装置と、該対応車に組付けた軸受、上記弾性装置又は圧縮装置との間の伝達経路に夫々加圧軸を持つ圧力伝達装置で連結してなる可変伝動機。
【請求項１１】
可変径型プーリでなる入力及び出力車と、該両車間に施す無端Ｖベルトと、セルフロック機能を持つ入力及び出力加圧装置が各対応車を入力及び出力駆動源で夫々付勢する入力及び出力操作器とでなる可変伝動機において、
加圧力供給でベルト位置決め制御して速比制御を果しセルフロック機能を持つ第一加圧装置と一方弾性装置を直列加圧で得た弾性力供給で摩擦面可変加圧制御してトルク制御を果しセルフロック機能を持つ第二加圧装置とを上記プーリ可動車に並設する個別加圧装置と、圧縮装置が他方弾性装置を直列圧縮して可変加圧制御する弾性加圧装置と、上記入力及び出力加圧装置の一方に上記個別加圧装置を他方に上記弾性加圧装置を施す上記入力及び出力操作器と、更に上記入力及び出力車の一方を速比指令で速比制御を果し双方を予め定めた個別トルク指令で出力トルク制御を果す調節装置とを有してなる可変伝動機。
【請求項１２】
請求項１１において、上記個別加圧装置で、上記第一及び第二加圧装置は上記対応車を該回転軸芯上で該軸芯方向に摺動させるため個別に縦続配列した第一及び第二圧縮装置を又は単一共用の圧縮装置を有し夫々上記入力又は出力駆動源に個別又は単一共用に連結してなる可変伝動機。
【発明の詳細な説明】
【０００１】
【発明の属する技術分野】
本発明は一般産業機械、車両、電動機等に使う可変伝動機に関し特にプーリへの弾性力と加圧力の識別供給と指令制御形態とで摩擦力安定化と広帯域高効率伝動を果す可変伝動機に関する。
【０００２】
【従来の技術】
定馬力型ベルト無段変速機の動作は、米国特許第  ４，９７３，２８８号又は同第５，２６９，７２６
号等で開発中だが満足な商品の実現に至らない。入出力車を後者は油圧でまた前者はネジ巻上機で夫々同時加圧する思想である。然しこれ等の思想は決定的かつ重大な機能上乃至原理上の欠陥を持つ。通常出力車が負荷に伝える出力馬力Ｐ〔Ｗ〕は該回転数Ｎ〔ｒｐｍ〕とトルクＴ〔Ｋｇｍ〕との伝動関係式Ｐ＝
１．０２７×Ｎ×Ｔで決る。回転数はベルトプーリ間接触位置即ち半径比で決まるのに対しトルクは両者間の接触摩擦圧と接触面積で決まる。この事は回転数がプーリ内ベルトの位置決め制御だけで決まるのに対し軸トルクが該プーリの該面積と常時摩擦圧の可変加圧制御だけで決まる事を意味する。従って無段変速機での所望回転数とトルクの確保策は各プーリに可変径位置決め制御と摩擦圧の可変加圧制御とを識別適用し相互に同期操作すべき事を上述伝動関係式自体が示す。然し上述米国特許思想は仮に入出力車に同期した加圧力の位置決め機能を与えても常時適正なベルト位置を維持する保証は無くまして両車に常時所定摩擦力付与のトルク保証機能は全く無い。この事は上述両特許思想では適正な回転数とトルクの確保と維持ができず定馬力伝動が原理的に不可能な事を示す。
【０００３】
これに対し本件出願人は欧州特許出願 ＥＰ０９３１９６０Ａ２号で入出力の二つの各プーリに加圧制御と位置決め制御の各機能役割の分化を提案した。然しまだ幾つかの未解決な問題が残る。その第一はベルトプーリ間摩擦力の不安定性であり第二はそれに伴う伝動効率の悪化の問題である。前者は引張型ベルトの低速伝動を不能に到らせる。その原因は直接にプーリへの外部加圧による摩擦力確保策では接触半径又は面積の増大時に摩擦伝動面の摩擦係数が不安定化し摩擦力過剰を招く為である。後者では押込型ベルトでも伝動効率は速比ε＝１付近で最大だがそれ以外の速比域は両プーリの接触面積の平衡が崩れて悪化する。即ち両プーリ中接触面積の増大側での摩擦力過剰でベルト食込みによるブレーキ発熱と、接触面積の減少側での摩擦力不足でスリップ発熱が同時発生するのが原因と推測され制御形態を充実する対策が望まれる。
【０００４】
【発明が解決しようとする課題】
本発明の共通解決課題は、可変径車Ｖ溝とＶベルト間摩擦力を操作器の外部加圧力供給で制御する際入出力車中一方車の軸トルク確保の為他方車摩擦力を外部弾性力供給で制御しベルトを経て該一方車軸トルクを間接調節してベルト種類に制約されず特に定馬力型に適する可変伝動機を提供する事である。
本発明の第一解決課題は、特に出力車への直接加圧に伴うベルト巻込を避けて出力摩擦力の安定化して出力車トルク確保の為、調節装置が入力操作器の操作で入力車の摩擦力不足を償い且つ入力車に常時弾性力供給し入力車弾性摩擦力を可変制御しベルトを経て出力車弾性摩擦力を生じさせて間接的に可変トルク制御する思想である。
【０００５】
本発明の第二解決課題は、調節装置が入力加圧装置で入力車への弾性力供給を可変加圧制御して間接的に出力車Ｖ溝のクサビ効果を利用し出力摩擦力を調整して出力トルクを可変制御する事のほかに出力加圧装置が出力車への加圧力供給で速比制御機能を付与して、引張型又は押込型ベルト等ベルト種類に制約されずに特に大きい速比域で高効率の安定な定馬力伝動の最適形態を達成する思想である。
【０００６】
本発明の第三解決課題は、入力加圧装置が弾性力供給でベルトを経て行う出力トルク制御と出力加圧装置が加圧力供給で行う速比制御とを同期操作する際に、後者が行うベルトの可変径操作と前者が行うベルト径の変位分と弾性装置の圧縮分の両操作とを同期して定馬力伝動を果す思想である。
【０００７】
本発明の第四解決課題は、入力及び出力車間伝動の際に高効率広帯域伝動を果すには単に速比制御以外にトルク発生の元になる伝動面摩擦圧を高精度管理する必要があり、速比制御と無関係に出力摩擦圧を出力加圧装置で検出して出力トルクをサーボ制御する思想である。
【０００８】
本発明の第五解決課題は、可変伝動機ではトルク及び速比制御の各役割を夫々入力及び出力加圧装置から入力及び出力車へ個別分担出来るので、調節装置で該両制御の同期操作で又は一方のみの単独操作で必要に応じ各種機能で働く可変伝動機を作動させる思想である。
【０００９】
本発明の第六解決課題は、入出力車は可動車が固定車に向い摺動可能に加圧し夫々該加圧方向を互に逆向きに配置するが入出力操作器への各指令供給の簡略化を要する為予め入出力加圧装置の構造、形状、配置等を考慮して伝動機構成を簡易化、小型軽量化した思想である。
【００１０】
本発明の第七解決課題は、出力操作器による出力トルクの直接制御と入力操作器が入力車摩擦力の可変操作で行う出力トルクの間接制御との確立に伴い、入力及び出力車の双方への弾性力を同時に負荷の必要に応じて高精度管理する事で可変伝動機に高効率化広帯域とを実現する思想である。
【００１１】
【課題を解決するための手段】
本発明の共通解決手段は、互に定馬力伝動する入出力車中、一方車のトルク確保の為他方車に該操作器が弾性装置を圧縮装置で直列圧縮して生じた弾性力をトルク指令に応じて常時供給制御し且つ該一方車を出力回転数又は速比指令に応じて可変加圧制御し、調節装置が該他方車摩擦力の操作でベルトを経て間接的に該一方車軸トルクを調節する事で可変トルク制御を果した可変伝動機速機を提供する事である。
本発明の第一解決手段は、弾性装置を圧縮装置で直列圧縮して生じた弾性力を入力車に常時供給する加圧装置と調節装置の指令により該加圧装置で可変加圧制御する駆動源とで成る入力操作器で入力車摩擦力を可変加圧制御する事でベルトを経て該出力車軸トルクを間接的に可変トルク制御する構成である。
【００１２】
本発明の第二解決手段は入力車に常時弾性力供給で可変加圧制御する追従車機能を又出力車に変速時に加圧力で非変速時に実質的に非加圧で可変位置決め制御する基準車機能を夫々与え、調節装置が入力操作器で入力車摩擦力からＶベルトを経て出力車Ｖ溝で作るクサビ摩擦力で間接的に出力軸トルクを可変制御しかつ出力操作器で出力回転数又は速比を直接制御した構成である。
【００１３】
本発明の第三解決手段は、速比制御の為に加圧力指令で出力車変速移動分ｌ０を施す出力加圧装置と、トルク制御の為に弾性力指令で入力車変速移動分ｌｐと弾性体圧縮移動分ｌｓとの和ｌ１（＝ｌｐ＋ｌｓ）を施す入力加圧装置とを上述した伝動関係式に従い指令の供給ごとに個別に同期操作して定馬力伝動機を果す構成である。
【００１４】
本発明の第四解決手段は、入力車への弾性力供給路に摩擦圧検出値を半導体歪ゲージ等で知る第一検出器からの該摩擦圧によるトルクで入力加圧装置の供給弾性力を主にサーボ帰還制御することで伝動機に於ける出力車の軸トルクを常時高精度に管理する構成である。
【００１５】
本発明の第五解決手段は、入力車と出力車が夫々担うトルク制御と速比制御を、双方を同期操作した時は定馬力型伝動機に、前者のみ単独可変操作した時はトルク変換型伝動機に更に後者のみ単独可変操作した時は定トルク型伝動機に夫々作動させた構成である。
【００１６】
本発明の第六解決手段は、入出力加圧装置の一方を管状又は円環状形成し入出力車の一方車回転軸周囲に貫通配置し、他方加圧装置を棒状形成のまま他方車の裏側に離隔配置して入出力駆動源を互に隣接配置し又は共用駆動源にして指令供給の系路を簡略化した構成である。
【００１７】
本発明の第七解決手段は、速比制御とトルク制御が不可欠の可変伝動機に対し速比制御を果す入力又は出力加圧装置に更に該速比制御と別枠で弾性力供給路を配置して入力車と出力車との双方に同時に個別の弾性力供給により特に高負荷トルク時に両者の摩擦力制御で高効率伝動させた構成である。
【００１８】
【発明の実施の形態】
本発明思想は変速伝動装置と変速制御装置を共に油層に納めた湿式型に限定されず、両者を空中に納めた乾型でも又夫々を個別収納しても良い。又伝動形態として本発明は特に定馬力伝動型変速伝動機で大きな効力を発揮するが速比制御のみ単独操作して定トルク伝動型変速伝動機に適用してもよい。制御形態として変速制御装置の操作器は、加圧力と弾性力の識別に際し第一及び第二加圧装置で成る個別加圧方式と、複合装置による複合加圧方式とを開示したが、入出力両操作器を共に個別加圧装置による加圧方式にしても良く又入力側を複合加圧装置による加圧方式に出力側を個別加圧装置による等各種の加圧方式にしても良い。その際出力車に図６Ｂの予備圧は当然可変制御しても良く又必ずしも与える事を要しない。プーリを押圧する加圧装置、複合装置、圧縮装置、弾性装置又は当接装置は全て非回転配置の例を示したが回転状態で使用しても良く、取付位置もプーリの周囲に制約されず油圧ジャッキや梃子の圧力伝達装置にて任意位置に配しても良い。
【００１９】
操作器の加圧力と弾性力を切換する例では速比ε＝１で優先的に切換える例を示したが任意の速比の時点で切換えを行っても良く、切換操作の基準を速比で無く出力回転数又は出力トルクを優先的な基準に切換えても良い。その際望ましくは該出力回転数とトルクとが共に瞬時の衝撃なく安全にバンプレス切換させる事が好ましい。更に入力動力が内燃機関や直流電動機等の如き該出力回転数が変速する時は可変伝動機の速比制御を或る定速比のままで出力トルクのみを該回転数に応じ入力操作器の単独操作で可変トルク制御を施してトルク変換伝動機にしても良い。尚基準車機能のプーリは回転数制御をまた追従車機能のそれはトルク制御を夫々果すので、操作器が各機能切換した時は当然調節装置から供給される制御指令も同時切換えるべきは明白で該指令も増速・減速の回転数指令と、増圧・減圧のトルク指令とを夫々識別選択して供給制御すべきは当然である。従ってベルトプーリ摩擦面劣化等には該補償した回転数指令を弾性体劣化等には該補償したトルク指令を夫々識別供給すべきである。
【００２０】
次に、各装置、部品等の代替化、兼用共用化は各種変更が可能である。加圧装置は圧縮装置が弾性装置又は／及び当接装置と直列連結ならば配列順序は任意である。圧縮装置は指令信号の供給停止後も該押圧位置を安定保持できるなら他の巻上機や油圧ジャッキ等でも良い。弾性装置も皿バネに限る事なく他の如何なる型でも良い。当接装置も他形態で良く例えば各弾性体自体に当接具をもたせ直列配列させても良い。尚夫々の加圧手段である摺動具、摺動体、摺動材等は相互に兼用、共用したり本体、車、圧力伝達装置等の他伝動部材類と代替兼用しても良い。圧力伝達装置や第一及び第二検出器も他の如何なる型式でも良く、例えば圧力伝達装置はプーリ回転軸の中空軸芯内を伝達させても良い。入出力駆動源の制御モータは入力及び出力側の各加圧装置毎に個別配置の例を示したが、駆動源には周知の伝達機や歯車同期嵌合装置等切換器を用いて共用化又は単一化できモータ種類も交流又はステップモータでも良い。尚可動車と弾性体の同時加圧装置では圧縮装置操作量と円板車相対距離間で比例又は反比例し且つ弾性体と弾性力間で夫々反比例又は比例する構成であれば良い。また各操作器は、該各圧縮装置を該第一及び第二各加圧装置に対して夫々個別に又は共用単一に持っても良い。
【００２１】
該モータと圧縮装置をもつ加圧装置では、プーリ高圧力に耐えて長期間の高精度の位置決めと加圧値の供給制御を要する。故に操作器の各加圧指令供給系路にセルフロック機能即ち逆転阻止機能とモータのオーバラン阻止機能等各制御指令として速比及びトルク指令への誤信号要因を積極的に排除する事を要す。従って台形ネジ等金属面接触摩擦手段やウォーム伝達機等一方向伝達機を用いたり、更にクラッチ、ブレーキ機能付モータや逆転阻止機能をもつステップモータの適用がされるべきである。尚圧縮装置の摺動量は、基準車機能の出力車移動量ｌ０ではプーリ移動分１ｐのみだが追従車機能の入力車移動量ｌ１ではプーリ移動分１ｐと弾性体圧縮量1sが加わり合計移動量は１ｐ＋１ｓとなる。従って回転数指令とトルク指令では操作量も操作方向も互に異なるため、ネジ又はカム等の巻上摺動装置の場合は巻上ピッチ、回転方向、右ネジ・左ネジ等のネジ溝加工方向、歯車伝達機の速比等周知要素を設計に応じて選択すれば良い。
【００２２】
次に調節装置９０の指令制御形態は各種考えられ、出力回転数Ｎ０又は出力トルクＴ０に精度を要しない時は予め初期設定した操作量として単一の制御指令を供給すれば良い。それ等に高精度を維持し安定伝動させて変速動作の高速度応答性を優先する時はベルトプーリ摩擦面、周長又は弾性体ヘタリ等伝動部材の劣化誤差を定期感知し劣化量に応じて回転数又はトルクの各指令に、予めメモリに定めた値となる様に補償量をＣＰＵ
にて算出加味して入力及び出力操作器に与え実質的な回転数又は摩擦圧の該検出値を帰還させて閉ループにてサーボ制御し補償を施しても良い。更にトルクと速比の高精度管理を要する場合には、各検出値と予めメモリに定めた基準値とを比較し負帰還制御を入力又は出力側の各操作器に供給する事により高負荷伝動でも極めて高い効率の長期運転を果す。
【００２３】
【実施例】
（第１実施例）
図１乃至図６に於いて、車両用の可変伝動機１０は、入力車１と出力車２間に施すベルト３で成る変速伝動装置１０Ａと、該同一平面側に入力操作器９と出力操作器８を図４で示す調節装置９０で調節する変速制御装置１０Ｂとで構成される。本例では入力操作器９は第一及び第二入力加圧装置１１，５１でなる個別加圧装置５０を更に出力操作器８は出力加圧装置２１でなる複合加圧装置４０を有し夫々図４に示す駆動源６０で付勢される。各加圧装置１１，５１，２１は夫々圧縮装置１４，５４，２４を有し入力弾性装置３１と、入力当接装置３５と、出力複合装置２０とを夫々操作する。入力操作器９は入力車１に第一及び第二入力加圧装置１１，５１
とで調節装置９０が個別に又出力操作器８は出力車２に加圧装置２１が単一で指令に応じ夫々弾性力と加圧力を識別供給する能力を有する。尚入出力側に略同等機能部品が存在する為本明細書では各部品名称に「入力」、「出力」の区別を要す時は付すが、前後の記述や図面等で解る時は省く。
【００２４】
変速伝動装置１０Ａは夫々可動車１ａ，２ａ と固定車１ｂ，２ｂ を相対向しキーを経て前者が後者に対し軸芯方向に摺動可能に配された可変径プーリ１，２
を含み、夫々入力軸１ｃと出力軸２ｃに互に逆向きに配される。各プーリ１，２ は夫々一対の軸受７，６で軸支されて回転し、更に本体１０と各可動車１ａ，２ａとの間を夫々一対の軸受５，４で回転力を分離しながら各加圧装置１１，５１，２１で夫々該プーリ可動車を加圧操作している。本体１０は、車両等の他伝動機器等を収める第一本体１０ａと、可変伝動機１０を収める第二本体１０ｂとが分離可能に組付される。
【００２５】
Ｖベルト３は、入力車が出力車を引張伝動する引張型と押込伝動する押込型との二種類のベルトが周知で本発明にはこの両者が適用可能である。その構造説明は省略し例えば前者は米国特許第４，４９３，６８１号等で又後者は同第３，９４９，６２１号等の例示を記述するに留める。尚本実施例思想は特に引張ベルトでもカム機構等の不安定摩擦力の補償対策を付せずに安定伝動を果すので、金属芯体３ａを耐熱樹脂、セラミック、金属等の複合材３ｂを囲む構造の引張型ベルト３で図示する。本発明の変速伝動装置１０Ａは次に述べる変速制御装置１０Ｂの操作により図７に示す通り広い可変速可変トルク帯域の全帯域で定馬力の動力伝動を高効率で果すものである。
【００２６】
各操作器９，８は、対応する各伝達車１，２の可動車１ａ，２ａに加圧力又は弾性力を制御指令に応じて個別に識別供給可能に構成されている。即ち第一加圧装置による加圧力供給は対応伝達車を基準車機能に又第二加圧装置による弾性力供給は対応伝達車を追従車機能に夫々働かせる。ここで、基準車・追従車機能とは、摩擦伝動時の安定要因の設定を基準車側で定め又不安定要因を追従車側で自己収束し整定する機能を云う。即ち基準車機能は摩擦伝動時のベルトの基準位置を定めて出力回転数や速比を決定する機能で、ベルト接触半径を定めるプーリＶ溝の位置決め制御を意味する。変速操作時はプーリからベルトに加圧力付与して可変径位置決め制御するが速比が決まると実質的に加圧力印加も停止し可動車によるＶ溝位置は固定されるので通常の定速比プーリと同一条件のＶ溝を形成する。追従車機能はベルト・プーリの接触面摩粍や内外の外乱振動等の誤差要因が生じても上述位置決め制御とは全く無関係に両者間に常時所定摩擦力の供給維持しその誤差要因を正規伝動状態に瞬時に復帰させる自己整定乃至自動調芯機能を弾性力の働きで果し各軸の軸トルクを決定する機能である。
【００２７】
入力操作器９は、本例では入力車１への加圧力供給用の第一入力加圧装置１１と弾性力供給用の第二入力加圧装置５１と夫々個別に持つ個別加圧装置５０の入力加圧装置と駆動源６０ａ，６０ｂとで構成される。第一加圧装置１１は入力切換器の当接装置３５と第一圧縮装置１４との直列構造で、又第二加圧装置５１は弾性装置３１と第二圧縮装置５４との直列構造で夫々構成し両者は共用の摺動体３６と軸受５を経てプーリ１の可動車１ａを互に回転軸芯方向に平行に加圧する。当接装置３５と弾性装置３１は入力車１の軸１ｃの外周に同軸で同芯円上に並列で軸芯方向に平行に配され、又各圧縮装置１４，５４は同軸上に縦続配列される。従って各加圧装置の加圧形態は、車１ａに対し装置１４が第二本体１０ｂの内壁から又装置５４が外壁から図２の圧力伝達装置７０を経て弾性装置３１に圧力伝達する。
【００２８】
各加圧装置１１，５１の各圧縮装置１４，５４は共に摺動装置１３，５３とこれを付勢する付勢装置１２，５２とで成る。各摺動装置１３，５３は、二つの摺動具１６，１７と５６，５７並びに両者間を摺動させる押圧装置１５，５５を有し本例ではボールネジである。摺動装置１３は管状形成し入力車１の周囲に又摺動装置５３は棒状形成され該軸１の延長上に離隔して位置する。付勢装置１２，５２は本例では共にウォーム１８，５８とホイール１９，５９から成るウォーム伝達機で成り、夫々軸１８ａ，５８ａに駆動源６０ａ、６０ｂからの速比、トルク指令が入力され摺動装置１３，５３が一旦位置決め又は摩擦圧が決ると制御指令の供給を停止しても該位置又は該摩擦力を保つセルフロック機能を果す。各加圧装置１１，５１はテーパローラ５とスラスト軸受５ｂとの間で非回転状態で車１を加圧する。歯車１９のキー１９ａを経た雄ネジの摺動具１６と歯車５９に直結の雌ネジの摺動具５７とは回転に伴って上下に摺動する事はなく、加圧装置１１では摺動具１７が又加圧装置５１では摺動具５６が上下動する。
【００２９】
第一加圧装置１１の当接装置３５は切換器として働き、間隙３８を経て配される二つの摺動材３６，３７で成り、圧縮装置１４の作動指令の選択に応じ両者を互に当接する当接動作時と、両者間を離隔させる当接解除時とを調節装置９０の制御指令又は速比指令で加圧力の供給と停止を制御される。当接動作時は圧縮装置１４が摺動材３６，３７と軸受５を介し、入力車１に直接加圧力を与えるので該車１が可変径位置決め制御の基準車機能を果す事になる。当接解除時は間隙３８を生じ圧縮装置１４は入力車１には作用しないので追従車機能のトルク制御が選択できる。本例では摺動材３７は圧縮装置１４の摺動具１７と共用し摺動材３６は弾性装置３１の摺動体３４と共用する。７７は自転阻止の回止具である。
【００３０】
第二加圧装置５１の弾性装置３１は中心貫通孔を施され、四枚の皿バネの直列構造で示す弾性体３２と、これを両端で加圧する二つの摺動体３３，３４とで成り、第一摺動装置１３の第一摺動具１６、１７と当接装置３５の外周に同芯配置される。弾性体は弾性振動の伝達を一端で可能で他端で不能にし且つ両端が摺動可能な為浮遊状態に支持される。図２の通り弾性装置３１は本例では圧縮装置５１との間に圧力伝達装置７０が配されて弾性体３２を直列圧縮し同時に生じた弾性力を摺動体３４と軸受５を介し供給するので、この時該車１が可変加圧制御の追従車機能を果す事になる。従って第一加圧装置１１の加圧力と第二加圧装置５１の弾性力とは共に共通の摺動体３４と軸受５を経て互に車１を並列印加する。
【００３１】
図２の圧力伝達装置７０は、圧縮装置５４の摺動具５６の端部５６ａに連結しこれを中心受加圧点から左右対称に延長した第一伝達手段７１と摺動体３３を兼ねる第二伝達手段７４とでなる横伝達手段７８と、その両端に連結し摺動具５６の軸芯方向に平行に二本の加圧軸７２でなる縦伝達手段７３と、更に弾性装置３１の押圧用加圧軸７２，７２の摺動方向を円滑案内する軸受と本体貫通孔でなる支持装置７９と成る。各手段７１，７２，７３は四角形枠を形成し高加圧でも四角形を保守させる為各軸７２，７２をリニヤボール軸受７５，７６を介して本体１０ｄで支持し摺動具５６と同方向に加圧する。尚本例では摺動体３３と加圧環７４を共用し弾性装置３１を直列加圧する。
【００３２】
図３の出力操作器８は、本例では出力車２への第一加圧装置の加圧力供給と第二加圧装置の弾性力供給とを単一の出力加圧装置２１が駆動源６０ｃへの制御指令に応じて両者を夫々識別供給する。操作器９と異なり、出力弾性装置４１と出力切換器である出力当接装置４５を並列組付した複合装置２０を更に単一の出力圧縮装置２４で直列組付した複合加圧装置４０である出力加圧装置２１を持つ。圧縮装置２４は２つ摺動具２６，２７とボールネジ２６ａの押圧装置２５とでなる摺動装置２３、更にウォーム２８とホイール２９で成りセルフロック機能を持つウォーム伝達機の付勢装置２２で成る。圧縮装置２４及び５４の相違点は、摺動装置５３は右ネジ加圧されるが摺動装置２３は左ネジ加圧された事と、摺動具５６は非回転で上下動するが、摺動具２６は回転しかつ上下動する為軸受４９が配される事と、更に圧縮装置５４の全体が振動不能に本体１０ｂに設置されるが、圧縮装置２４では摺動装置２３のみは伝達車２と弾性装置４１との間を弾性振動伝達可能な連動状態又は浮遊状態に支持する為摺動具２６は付勢装置２２のホイール２９との間に軸芯方向に摺動可能にスプライン結合２６ｃを延長配置して回転伝動を可能にした事等がある。
【００３３】
軸受４９を経て加圧される弾性装置４１は環状鍋に形成した摺動体４３と、摺動体４４との間で収納加圧する複数の皿バネでなる弾性体４２を持つ。本例では図２の弾性体３２は伝達車側に又図３の弾性体４２は本体側に夫々配されるが、共に弾性体３２，４２の一端は弾性振動可能に他端は振動不能に支持させて摩擦伝動面での振動抑制を効果的に実施する。当接装置４５は、二つの摺動材４６，４７で成り、本例では摺動材４７が摺動体４３の鍋状外縁で又摺動材４６は摺動体４４で夫々共用している。図３は中心線の左半分で弾性装置４１の軽負荷時には間隙４８が介在し当接装置４５が当接解除状態で弾性力を又右半分で弾性装置４１が所定値を越え当接装置４５が当接動作状態で加圧力を夫々伝達車２に識別供給する状態を示す。尚本例の当接動作状態では弾性体４２の弾性力Ｐｓは加圧力に加わり常時供給する。
【００３４】
尚加圧装置２１でも加圧装置５１と同一構造の縦伝達手段８３と横伝達手段８８と支持装置８９とで成り左右対称に四角形枠の圧力伝達装置８０を持つ為類似参照符号を付し説明を省く。相違点は本例では全加圧機構を固定車２ｂの裏側に配し弾性振動も相互に伝える事である。又図５は加圧装置２１の本体１０ｄと複合装置２０の一端間に配した第一検出器の圧力検出器９４の断面図である。環状の弾性体４２と摺動材４７とが液封した主ダイヤフラム１０４を同時に圧縮可能に構成した環状検出端１０１と、この検出端１０１の一箇所から放射状に延長して副ダイヤフラム１０６を変位する導出端１０２と、この端部に配し半導体歪ゲージをもった圧力−電気信号変換部１０３と、更に油媒体１０５とで成る。単に印加弾性力又は加圧力だけで無く定速比運転時での出力摩擦伝達面での摩擦力の値を適正に感知し且つ摩擦圧によるトルク制御が可能となる。
【００３５】
図４の通り各操作器８，９は、各加圧装置１１，５１及び２１に夫々個別に駆動源６０ａ，６０ｂ及び６０ｃを隣接して施し電子調節装置９０から制御指令が個別に供給される。各駆動源６０には夫々にギヤヘッド６４、直流サーボの可逆モータ６５，ブレーキ６６，エンコーダ６７を持ち各対応する参照部品番号に符号ａ，ｂ，ｃを付して示す。両操作器には互に同期したサーボ制御を要するが、各圧縮装置１４，５４及び２４の移動操作量は夫々異る為対応の各軸１８ａ，５８ａ及び２８ａへの制御指令は調節装置９０から個別に設けた速比の異なる歯車伝達機６１ａ，６１ｂ，６１ｃをもち必要に応じ歯車６８，６９を付設する。
【００３６】
調節装置９０は、ＣＰＵ又は演算処理装置９５及び各種ＲＡＭ，ＲＯＭでなる記憶装置９６，９７を中心としてＡ／Ｄ乃至Ｄ／Ａ等の変換増幅器９８、伝送バスをもつ入出力装置９１を経て入力及び出力情報を導出入する。入力情報はエンジン等のスタータスイッチ等の変速機１０の起動指令と、変速指令又は除加圧指令などの制御指令と、図１で第二検出器として伝達車１，２の回転数検出器９２，９３の回転数と、圧力検出器９４からフィルタ９９を経たベルトプーリ摩擦接触圧と、更に各エンコーダ操作量Ｒａ，Ｒｂ，Ｒｃ等である。出力情報は変換増幅器９８ａ，９８ｂ，９８ｃから各モータ６５ａ，６５ｂ，６５ｃへの操作指令Ｅａ，Ｅｂ，Ｅｃとブレーキ指令Ｂａ，Ｂｂ，Ｂｃである。
【００３７】
記憶装置９６は演算処理装置９５がプログラマブル制御を実行する基礎情報を持つ。又記憶装置９７は三つの処理情報で成りメモリ９７ａはプーリ１が追従車機能でプーリ２が基準車機能で作動する時の同期及び切換制御情報を、メモリ９７ｂはプーリ１が基準車機能でプーリ２が追従車機能で作動する時の同期及び切換制御情報を、メモリ９７ｃは両プーリ１，２の機能切換時の同期操作情報や各操作器８，９を非同期で個別の単独操作した時の夫々定トルク型伝動機、トルク変換型伝動機の制御情報を予め記憶される。フィルタ９９は弾性力から弾性振動分を除く。上述の各駆動源６０および調節装置９０の各機器は例えば山洋電気（株）出版「１９９８〜９９サーボシステム総合カタログ」等で既に開示され市販中なので詳細説明は省く。
【００３８】
次に第１実施例の動作を述べる。本例の思想は、引張型ベルトを用いて入力又は出力車のいずれの伝達車に対してもベルトプーリ間の接触半径が大きい時は常に該伝達車を基準車機能に、接触半径が小さい時は常に該伝達車を追従車機能に夫々働かせる為に、対応する各操作器からの加圧力又は弾性力を識別して供給制御する事である。本例では入力及び出力回転数Ｎ１，Ｎ０の速比ε（＝Ｎ１／Ｎ０）が中間域のε＝１を基準に切換える場合を述べる。即ち変速領域が、ε＞１の大速比域又は低速域では入力車１に追従車機能を出力車２に基準車機能を与え個別操作して成る第一伝動装置Ａで、逆にε＜１の小速比域又は高速域では入力車１に基準車機能を出力車２に追従車機能を与え個別操作して成る第二伝動装置Ｂの伝動形態で夫々作動する様に、両操作器８，９と伝動装置の動作形態を切換える。図１は入力車１が最小半径ｒ１０で出力車２が最大半径ｒ００なので、操作器９では入力切換器の当接装置３５は当接解除状態で弾性装置３１の弾性力を、操作器８では出力切換器の当接装置４５が当接動作状態で加圧力を夫々供給し第一伝動装置Ａを成し、この伝動中に増速指令が供給されたとする。
【００３９】
図６は、変速域の速比εを横軸に、ベルトプーリ間摩擦力Ｐと接触半径ｒを夫々左右の縦軸に示す動作特性図で、図６Ａは入力車の又図６Ｂは出力車の各特性を示す。起動時は図１の最大速比εｍａｘの為に入力車１には弾性体３２の最大圧縮圧により最大摩擦力が施される。最大張力のＶベルト３を経て出力車２のＶ溝には張力による最大摩擦力が保証される。本例の場合は出力当接装置４５が当接動作中でも弾性体４２の弾性加圧力は軸受４９、摺動装置２３及び圧力伝達装置８０を経て、図６Ｂの二点鎖線の基礎圧Ｐｓ０は供給され続ける。従って出力車２の摩擦力はベルト張力と基礎圧Ｐｓ０が重畳した最大値Ｐ０ｍａｘになる。増速指令が加わり三つのモータ６７が動くと各軸１８ａ，５８ａ，２８ａが回動し、入力車側では当接装置３５の間隙３８が挾まるが影響は無く、弾性体３２が圧縮装置５４により図６Ａの通り圧縮がＰ１１に減圧されるのでトルク指令としての供給弾性力も減り入力摩擦力も減る。出力車側ではベルト張力による摩擦力分が減少する為出力摩擦力もＰ０１に減圧し同時圧縮装置２１により複合装置２０はそのままの状態で圧縮装置２１の摺動具２６，２７間のみが相対変位し、圧力伝達装置８０を経て可動車２ａを速比指令としての供給加圧力で強制移動しベルト半径をｒ０１に減ずる。この時同時に弾性力の働きで減圧に拘わらず入力車１の半径ｒ１０は増しｒ１１に移動する。この一連の動作が同時に同期して行われる。以下同様に再度増速指令が加わると同じ動作を繰返し、速比ε＝１に達するまで繰返す。
【００４０】
更に増速指令がε＝１に達すると当接装置３５、４５の両切換器の働きで二つの操作器８，９の動作が瞬時に切換わる。即ち入力側では当接装置３５の僅かに残された間隙３８は調節装置９０の指令で瞬時に消去し摺動材３６，３７は当接動作状態に入り弾性体３２の弾性力は当接装置３５の加圧力に優先的に速比を固定して切換が行われる。出力側では同時に付勢装置２２の働きで摺動具２６は上昇し複合装置２０を減圧するので当接装置４５は圧力検出器９４から当接解除状態に入り、弾性体４２の弾性力が摺動装置２３、圧力伝達装置８０を経て車２に伝えられる。従ってε＜１の小速比域では、入力車１が接触半径を増大し基準車機能で又出力車２が接触半径を減少し追従車機能で成る第二伝動装置Ｂとして働く事になる。第一伝動装置Ａでは出力回転数は出力操作器８で直接制御し、出力トルクは入力操作器９でベルト張力を経て間接制御したのに比し、切換後では第二伝動装置Ｂでは出力回転数が操作器９の速比指令で間接制御され出力トルクが操作器８のトルク指令で直接制御される。従って以後は調節装置９０による各制御指令と該各補償信号の供給切換がある以外は全く同様に安定伝動を続ける。図３の左半分は増速指令が更に加わり出力回転数での速比εs の出力車２及び加圧装置２１の状態を示す。最小速比εｍｉｎまで同じ動作をする。
【００４１】
逆に再び最大速比εｍａｘに復帰するには上述と逆回転の減速指令を各モータ６５に与える事で上述と逆の動作手順で達成できる。速比ε＝１での機能切換は、ベルト３の長手方向の伸びと幅方向の厚味の経年変化の悪影響を無くす為に本例では調節装置９０が常時入出力車回転数検出器９２，９３と圧力検出器９４から算出する速比信号εとトルク信号を基準に各加圧装置へのトルク及び速比指令の指令供給の切換をする例を述べる。然も実際には速比ε＝１付近での伝動装置Ａ及びＢ間のハンチングを阻止する為各指令は図６Ａ，６Ｂに示す通り動作スキ間（Ｄｉｆｆｅｒｅｎｔｉａｌ）を施して制御される。尚上述の例では操作器９の弾性装置３１又は当接装置３５の一方のみしか車１の加圧に影響しないので両圧縮装置１４，５４を常に駆動しても良いが必ずしもそうする必要は無く、車１に影響しない圧縮装置は図２の左側摺動体の如くその期間弾性体への制御指令の供給を停止し又は外部加圧を停止しある圧縮状態で待機しても良くまた切換時のみだけでなく常時両者を同時駆動させれば良い。更に弾性体３１，４１、プーリ１，２、ベルト３等の伝動部材が長期間の高圧縮圧で磨耗やヘタリ劣化した時に各車１，２で所定摩擦力が継続維持でき無くなる恐れが残るが、本例では図１の最大速比状態で伝動運転を停止する際でも調節装置９０から加圧装置５１，２１の高加圧を低加圧に強制的に解除又は加圧する除圧又は加圧指令を与え長期間の運転停止の時の強制解放による経年劣化の阻止対策を施し得る。又各増幅器９８は両操作器の切換時のみ直流モータ６５を供給電圧又はパルス量操作で急速切換動作でき瞬時速動指令を供給して機能切換しても良い。
【００４２】
更に本例では、出力トルクを入力及び出力操作器９、８の間接又は直接加圧制御で果す場合を持つが、各弾性体３２，４２の劣化した時にも高精度の所望摩擦力を出力車２で補償する為圧力検出器９４がトルクの算出に使用される。出力車２が基準車機能で働く時でも弾性力供給しても良くクサビ摩擦力は同検出器で常時感知できるので、当然サーボ制御させても良い。摩擦力の低下時のトルク補償制御は、予め弾性体３１の劣化の検出値からトルクを知りＣＰＵ９５とメモリ９７ａとで定めた摩擦力に適するように入力操作器９にサーボ制御すれば良く、これを更に開ループ乃至閉ループ制御を施すことによって所定摩擦力供給でのトルク制御を任意利用する事が達成できる。出力回転数を入力操作器９の間接位置決め制御で行う際回転数検出器９３を用いた時も同様である。
【００４３】
本例の効用は、両車１，２のベルトプーリ間の接触半径又は面積が減少時は高圧の弾性力の常時供給を維持し続けるので加圧不足に因る滑りを解消し、接触半径又は面積が増大時は変速動作時以外には弾性力を全く印加しないか又は僅かに可変制御した弾性力Ｐｓを加えるだけなので摩擦係数変動や摩擦力過剰の不安定化を招く事が無く、必要以上の外部加圧に因るベルトの巻込み現象に伴う伝動不良が解消する。故に本明細書及び請求項で「実質的な非加圧」とは摩擦伝動に悪影響の無い範囲内で積極的に弾性力を可変制御しても良い事を意味する。その結果図７の通り二つの効率特性の各最高効率域間の中間域で大速比域での第一伝動装置Ａと小速比域での第二伝動装置Ｂとを両最高効率域間の中間域で単に安定連結するだけで無く両変速領域を安定のまま大幅に拡大し広帯域化ができる事を示し、所望摩擦力の安定維持が確立する為に高速度の変速応答性を果しかつ低速域及び高速域の該変速領域の両端域でも高効率伝動を果す。然も最大の利点はベルト巻込み現象が解消する為従来周知の押込型ベルトだけで無く引張型ベルトを、カム機構等の調整装置を全く付さずに適用できる点に有る。尚各操作器の機能切換位置は必ずしも速比ε＝１に制約されず任意に変更可能である。
【００４４】
（第２実施例）
図８及び図９は第２実施例可変伝動機を示す。第２実施例が第１実施例との相違点は入力操作器９の構成のみにあり実質的な第一及び第二伝動装置Ａ，Ｂ
の機能切換による可変トルク制御及び可変径位置決め制御動作は全く同一である。そこで同一又は類似機能の部材には第１実施例と同じ参照番号を付し相違点を述べる。構造上の相違点は、入力操作器９が出力操作器８と同様に単一の圧縮装置１４と複合装置３０の直列連結で複合加圧装置５０′の入力加圧装置１１を形成した点である。複合装置３０は第二入力加圧装置５１の弾性装置３１と第一入力加圧装置１１の当接装置３５とを予め並列に圧縮組付してある。本例では摺動装置１３の摺動具１７と、弾性装置３１の摺動体３３と、更に当接装置３５の摺動材３７が一体共用化して複合装置２０に相異し圧縮状態で両端閉止した円環鍋型収納枠を成す。該室内に複数皿バネの弾性体３２を収め摺動体３４を兼用する摺動材３６及び３７とで弾性体３２を圧縮収納してある。図６Ａ，６Ｂの各摩擦力特性の実線で示す通り入力弾性体３２は高加圧域特性Ｐｓ１を出力弾性体４２は低加圧域特性Ｐｓ０を夫々担うので、第１実施例と同様に通常は前者が後者より大きい弾性圧縮圧の皿バネが選定されるがベルトプーリ間摩擦係数によっても変化する。摺動材３７は可動材３７ａと可動材３７ｂとの間でネジ３９が施され当接装置３５の当接又は解除状態の動作点を可調整にしてある。当接装置４５も同様に構成しても良い。
【００４５】
複合装置３０と２０の相違点は弾性体の圧縮動作方向が互に逆である。複合装置３０が予め圧縮収納した弾性体閉止型だが同装置２０では開放型である。動作上も図６Ａ，６Ｂ  と同様に変速機１０が第一伝動装置Ａで作動中は操作器８が加圧力でベルト３を位置決め制御する為、当接装置３５では図８の間隙３８が生じ弾性体３２が有効に働く。然し第二伝動装置Ｂに移ると、操作器８が弾性力の可変加圧制御域に入り同時に当接装置３５も間隙３８は消失し操作器９が図９の当接動作状態に移るので、小速比域では実質的に弾性体３２の機能は無効になり、入力車１が基準車機能として作動する。尚ベルト３は無端帯体３ａと多数ブロック３ｂとの押込型で示す。
【００４６】
本例の効用は第１実施例と略同様だが更に小型軽量化が果せる。然し複合装置３０が閉止型の為変速機の停止中に劣化防止策用の弾性体３２を除圧操作できないが弾性体３２に圧縮圧に経年変化が生じても出力トルク制御に圧力検出器９４を使う為ＣＰＵ９５とメモリ９７ｃが出力車２での所定摩擦力を常時調節するので弾性力の劣化減少分は入力操作器９の操作量を増す補償操作で障害を克服できる。検出器無しでも少ない劣化の弾性材を使用して長期伝動に耐えさせ又はネジ３９で再調整すれば良い。
【００４７】
（第３実施例）
図１０及び１１は、本発明の共通ベース思想を示す第３実施例であり、両操作器とも常時機能切換せずに第一伝達装置Ａを構成する可変伝動機の夫々入力車及び出力車断面図である。本例では変速領域の全域で、入力操作器９はトルク指令で常時弾性力供給する可変加圧制御によるトルク制御の追従車機能を又出力操作器８は変速時の速比指令で加圧力供給し定常時に無加圧の可変位置決め制御による速比制御の基準車機能を夫々果す。ベルトプーリ間で大摩擦力を得る為に伝達車に巨大外部圧を施す方法は摩擦係数が安定せず摩擦力過剰による伝動不能に到る。特にこの傾向は入力車１よりも出力車２で生じ易い。その理由は出力回転数Ｎ０の方がより小さくなり逆に出力トルクＴ０はその分増大する事を要するからである。本例では制御指令供給時は加圧力供給してもそれ以外の定速比運転時は出力車２のＶ溝に対し加圧装置による外部圧を全く与えず単に定速比プーリのＶ溝と同等の構成である。所定出力トルクの確保は入力操作器９で追従車機能する入力車１の弾性摩擦力にて与えたベルト張力のみで決定させた思想である。図中のチェーンベルト３の様にプーリ内巻込現象が生じ易い引張型ベルトでも又生じ難い押込型ベルトでもその型式に因らず、大速比域での安定伝動と高効率伝動を果す。
【００４８】
構造的には入力操作器９は、図９の操作器９から当接装置３５を除去して弾性装置３１を圧縮装置１４が直列圧縮する弾性加圧装置５１と駆動源６０ｂとでなる。出力操作器８は、図１，３又は図８の操作器８から複合装置２０を除去し、摺動装置２３と付勢装置２２を直結した圧縮装置２４にて変速動作時だけ加圧力を施し出力車２を可変径位置決め制御の基準車機能を果す構造である。他の構造は第１，第２実施例と同一なので同一の参照符号を付して詳細な説明を省く。尚圧力検出器９４の検出端１０１はホイール２９のスラスト軸受４ｂでの圧力を感知する為摩擦力の値は可動車２ａ、圧力伝達装置８０を経て圧縮装置２４と本体１０ｄ間で常時感知でき他実施例と同様調節装置９０にて操作器９にサーボ制御を施しそれを更に開又は閉ループ制御を施す事で適正な摩擦力管理による任意のトルク制御が達成できる。
【００４９】
（その他の実施例）
上述実施例で入出力車のいずれか一方が弾性力による追従車機能を持つ理由はベルトの周長伸びや厚味摩粍等の誤差要因の吸収能力を弾性力自体に持たせて常時安定伝動の維持を果させる為である。従って入力操作器９を図１０の構造で又出力操作器８を図３の構造で夫々組立てた可変伝動機であっても又入力弾性体３２が出力弾性体４２よりバネ圧を大きく選定し実質的に加圧力として機能する時は安定伝動を果す。そこで本発明では入力及び出力車に同時に弾性力供給して両車でトルク付与を行ってもよいが同時に加圧力供給状態にすべきでは無い。従って、両操作器８、９の一方を個別加圧装置又は複合加圧装置で他方を圧縮装置が弾性装置を直列圧縮する弾性加圧装置として両操作器でトルク様に可変加圧制御しても良いので負荷に応じた可変トルク制御が可能である。この時各加圧装置が第３実施例等の様に当接装置等の切換器を持つ必要は無く、更に入力車１に図１０の操作器９を又出力車に図示しない定速比プーリを施しても出力トルクを入力操作器で調節する本発明思想は達成できると共に本発明の範囲に含むのは当然である。
従って本発明は「特許請求の範囲」から当業者が容易に創作しうる範囲内に於いて各種の変更、変形を加えても該範囲に包含される。
【００５０】
【発明の効果】
本発明は所定出力トルクを確保するのに、出力車への直接的な外部加圧に依らずに入力車を外部可変加圧制御しベルトを経て間接的に出力摩擦力を得るので、出力軸トルクを創出する構成は如何なる構造でも良く入力車での摩擦力不足も無くす事ができる。特に可変径プーリを入出力車に用いる可変伝動機では、ベルトプーリ間の接触半径又は面積が増大した時に、プーリ可動車に変速動作時以外は実質的な加圧力を供給せず相手プーリ摩擦力で生じたベルトに基きＶベルトとプーリＶ溝間のクサビ効果で間接的に接触摩擦力を作り出すので、外部加圧力に応じて変化する摩擦係数の不安定性が解消し、低又は高負荷トルク時にも負荷の必要に応じて常時トルクの可変付与した安定伝動しそれによる高速度の変速応答性と高効率伝動を持つ定馬力型可変伝動機が達成出来る効用がある。特にベルトがプーリ内に食い込む謂所巻込現象が生じ易い引張型ベルトでも伝達不能に到る事が無く、ベルトプーリの材質、湿式乾式等潤滑性、温度等の周囲条件の変化に拘わらず安定したクサビ摩擦力を創出できる為、従来の不安定なカム機構等の巻込防止対策を別途に施す事なく安定伝動を実現する。
【００５１】
また本発明の伝動機はトルク及び速比制御を入力及び出力操作器で個別構成しかつ個別操作する構造なので、両者の同期操作時には定馬力型伝動機に、一方のみ単独で可変操作時には定トルク型伝動機またはトルク変換型の伝動機に使用できる利点があるので車両、一般産業機械、伝動機等の分野での効用は極めて大きい。その際サーボ機構を有する為伝動機停止時に弾性力を高圧縮状態で長期停止を継続すると、ベルトプーリ、弾性体等の伝動部材に磨耗劣化を招き、停止中に弾性体、プーリ等の伝動部材への高加圧を強制的に解放し除去する劣化阻止策を簡易に施せる利点がある。更にまた出力トルクが入力操作器で操作出来るので入力車側の摩擦力不足を解消するだけでなく、出力車側に可変径プーリに限らず従来周知の定速比プーリを用いた伝動機にも適用できる利点もある。
【００５２】
更に出力車側の出力加圧装置に出力車摩擦力の検出器を設けて入力操作器をサーボ制御すればトルクの高精度供給に寄与でき、更に入力車と出力車の双方に弾性摩擦力の付与が出来る結果、双方で摩擦力の高精度管理が達成できるので、伝動動作の高効率化、広帯域化が達成できる。この為特に車両や受発電設備等の分野では低燃費、低価格かつ低運転コストに効果がある。
【図面の簡単な説明】
【図１】  本発明の第１実施例可変伝動機の全体構成断面図を、
【図２】  同第１実施例の入力車及び入力操作器の断面図を、
【図３】  同第１実施例の出力車及び出力操作器の断面図を、
【図４】  同第１実施例の各操作器用の駆動源及び調節装置の構成図を、
【図５】  同第１実施例の出力操作器に施した圧力検出器の断面図を、
【図６】  同第１実施例の速比対接触半径・摩擦力特性で図６Ａは入力車側の図６Ｂは出力車側の夫々の動作特性説明図を、さらに
【図７】  同第１実施例の速比対伝動効率特性図を夫々示す。
【図８】  本発明の第２実施例可変伝動機の全体構成断面図を、さらに
【図９】  同第２実施例の入力車及び入力操作器の断面図を夫々示す。
【図１０】  本発明の第３実施例可変伝動機の入力車及び入力操作器の断面図を、さらに
【図１１】  同第３実施例の出力車及び出力操作器の断面図を夫々示す。
【符号の説明】
１，２  プーリ
３  ベルト
８，９  操作器
１０  可変伝動機又は本体
１１，２１，５１  加圧装置
１２，２２，５２  付勢装置又はウォーム伝達機
１３，２３，５３  摺動装置
１４，２４，５４  圧縮装置
１５，２５，５５  押圧装置
３０，２０  複合装置
３１，４１  弾性装置
３５，４５  当接装置又は切換器
４０  複合加圧装置
５０  個別加圧装置
６０  駆動源
７０，８０  圧力伝達装置
９０  調節装置
９２，９３  第二検出器又は回転数検出器
９４  第一検出器又は圧力検出器
【図１】
0004785159.tif 000002
【図２】
0004785159.tif 000003
【図４】
0004785159.tif 000004
【図５】
0004785159.tif 000005
【図７】
0004785159.tif 000006
【図６】
0004785159.tif 000007
【図８】
0004785159.tif 000008
【図９】
0004785159.tif 000009
【図１０】
0004785159.tif 000010
【図３】
0004785159.tif 000011
【図１１】
0004785159.tif 000012